(57)【要約】【課題】複数の走査光学系が共有する偏向手段への光束の入射口や射出口に平行平板を配設する構成であっても、平行平板の面精度による結像性能への影響を低減することができる光走査装置と画像形成装置を得る。【解決手段】複数の光源１と、複数の光源１からの光束を偏向する偏向反射面を備えた偏向器５と、偏向器５への入射光束と偏向器からの出射光束とが通過する平行平板６とを有してなる光走査装置であって、複数の光源１から偏向器５への複数の入射光束は、互いに偏向回転面内で開き角を有し、偏向回転面内における偏向反射面への平均入射角の最大値と最小値をそれぞれθ１ｍａｘとθ１ｍｉｎ、有効書込幅に対応する半画角をθ２、偏向回転面内における平行平板の主走査方向に対する傾け角をα、としたとき、条件式０．６＜（θ１ｍａｘ−α）／（θ２＋α）＜１．４０．６＜（θ１ｍｉｎ−α）／（θ２＋α）＜１．４を満足する。【選択図】図１
2005092077.tif 000002
【特許請求の範囲】
【請求項１】
複数の光源と、上記複数の光源からの光束を偏向する偏向反射面を備えた偏向器と、上記複数の光源からの光束をカップリングするカップリングレンズと、上記カップリングレンズからの光束を上記偏向器に導くシリンドリカルレンズと、上記偏向器への入射光束と上記偏向器からの出射光束とが通過する平行平板と、上記偏向器により偏向された光束を被走査面上に集光する走査結像光学系とを有してなる光走査装置であって、
上記複数の光源から上記偏向器への複数の入射光束は、互いに偏向回転面内で開き角を有し、
偏向回転面内における上記偏向反射面への平均入射角の最大値と最小値をそれぞれθ１ｍａｘとθ１ｍｉｎ、有効書込幅に対応する半画角をθ２、上記偏向回転面内における上記平行平板の主走査方向に対する傾け角をα、としたとき、条件式
０．６＜（θ１ｍａｘ−α）／（θ２＋α）＜１．４
０．６＜（θ１ｍｉｎ−α）／（θ２＋α）＜１．４
を満足することを特徴とする光走査装置。
【請求項２】
条件式
（θ１ｍｉｎ−α）／（θ２＋α）＜１．０＜（θ１ｍａｘ−α）／（θ２＋α）
を満足する請求項１記載の光走査装置。
【請求項３】
平行平板は副走査方向に対して傾いている請求項１または２記載の光走査装置。
【請求項４】
光書込装置から像担持体に光書込みを行い、電子写真法により、この像担持体上に静電潜像を形成する装置であって、
上記光書込装置は、請求項１乃至３のいずれかに記載の光走査装置であることを特徴とする画像形成装置。
【発明の詳細な説明】
【技術分野】
【０００１】
本発明は、デジタルカラー複写機、カラーレーザプリンタなどの光走査装置、及び、これを用いた画像形成装置に関するものである。
【背景技術】
【０００２】
近年、カラー画像形成装置の高速化に伴い、例えば、４つの感光体ドラムを記録紙の搬送方向に配列し、これらの各感光体ドラムに対応した複数の走査光学系で同時に露光して潜像をつくり、これらの潜像をイエロー（Ｙ）、マゼンタ（Ｍ）、シアン（Ｃ）、ブラック（Ｋ）などの各々異なる色の現像剤を使用する現像器で可視像化し、これらの可視像を同一の記録紙に順次重ね合わせて転写してカラー画像を得る、いわゆる４ドラムタンデム式のデジタルカラー複写機やカラーレーザプリンタなどが実用化されている。
【０００３】
４ドラムタンデム方式は、１ドラム方式に対してカラーをモノクロと同じ速度で出力することができるため、高速プリントに有利である。
また、上記複数の走査光学系で偏向手段を共有し、偏向手段への入射角を異なる角度にして偏向手段の副走査方向の幅を１光束を偏向する幅と同程度にすることにより、偏向手段の小型化を図ることができコストダウンにも有利である。
さらに、偏向手段の回転時の騒音を遮断し、偏向手段の反射面の汚れ等を防止するために偏向手段をハウジングやカバーで覆い、偏向手段への光束の入射口や射出口を防音用や防塵用の透明な平行平板で密閉することが行われている。
【０００４】
しかしながら、平行平板を通過する光束の入射角が大きいと平行平板の面の精度に結象性能が大きく影響される。そこで、従来から、この結像性能の影響を低減するための提案がなされている（例えば、特許文献１，２参照。）。
【特許文献１】特許２００１−２９００９５号公報
【特許文献２】特開平９−２７４１３４号公報
【発明の開示】
【発明が解決しようとする課題】
【０００５】
本発明は、上記の平行平板の面精度がばらついても、主走査方向の像面湾曲変動を低減することができ、良好な画像を出力することができる光走査装置と画像形成装置を提供することを目的とする。
【課題を解決するための手段】
【０００６】
請求項１記載の発明は、複数の光源と、複数の光源からの光束を偏向する偏向反射面を備えた偏向器と、複数の光源からの光束をカップリングするカップリングレンズと、カップリングレンズからの光束を偏向器に導くシリンドリカルレンズと、偏向器への入射光束と偏向器からの出射光束とが通過する平行平板と、偏向器により偏向された光束を被走査面上に集光する走査結像光学系とを有してなる光走査装置であって、複数の光源から偏向器への複数の入射光束は、互いに偏向回転面内で開き角を有し、偏向回転面内における偏向反射面への平均入射角の最大値と最小値をそれぞれθ１ｍａｘとθ１ｍｉｎ、有効書込幅に対応する半画角をθ２、偏向回転面内における平行平板の主走査方向に対する傾け角をα、としたとき、条件式
０．６＜（θ１ｍａｘ−α）／（θ２＋α）＜１．４
０．６＜（θ１ｍｉｎ−α）／（θ２＋α）＜１．４
を満足することを特徴とする。
【０００７】
請求項２記載の発明は、請求項１記載の発明において、条件式
（θ１ｍｉｎ−α）／（θ２＋α）＜１．０＜（θ１ｍａｘ−α）／（θ２＋α）
を満足することを特徴とする。
【０００８】
請求項３記載の発明は、請求項１または２記載の発明において、平行平板は副走査方向に対して傾いていることを特徴とする。
【０００９】
請求項４記載の発明は、光書込装置から像担持体に光書込みを行い、電子写真法により、像担持体上に静電潜像を形成する装置であって、光書込装置は、請求項１乃至３のいずれかに記載の光走査装置であることを特徴とする。
【発明の効果】
【００１０】
本発明によれば、複数の走査光学系が共有する偏向手段への光束の入射口や射出口に平行平板を配設する構成であっても、平行平板の面精度による結像性能への影響を低減することができる光走査装置と画像形成装置を得ることができる。
【発明を実施するための最良の形態】
【００１１】
以下、図面を参照しながら、本発明にかかる光走査装置と画像形成装置の実施の形態について説明する。
【００１２】
先ず、本発明にかかる光走査装置について説明する。図１（ａ）は、本発明にかかる光走査装置の実施の形態を示す偏向回転面に平行な面内に展開した光学配置図、（ｂ）は、（ａ）に示す光走査装置の光源から射出された光束の光路を説明する副走査断面図である。ここでは、２つの走査光学系を備えたマルチビーム走査光学系を例として示しているが、  本発明にかかる光走査装置を構成する走査光学系の数は、２に限定するものではなく３以上でもよい。
符号１Ａと１Ｂは光源である半導体レーザ、５は半導体レーザ１Ａと１Ｂからの光束を偏向する偏向反射面を備えた偏向器であるポリゴンミラー、２Ａと２Ｂはそれぞれ半導体レーザ１Ａと１Ｂからの光束をカップリングするカップリングレンズ、３Ａと３Ｂはそれぞれカップリングレンズ２Ａと２Ｂからの光束をポリゴンミラー５に導くシリンドリカルレンズ、４Ａと４Ｂは仮想ミラー、６は平行平板である防音ガラス、１０は被走査面である感光体の表面、７と８はポリゴンミラー５からの光束を被走査面１０に集光する走査結像光学系を構成する光学素子であるところの第１走査レンズと第２走査レンズ、９は防塵ガラス、を示している。ここで、被走査面１０上を光束が走査する方向を主走査方向とし、主走査方向と直交する方向を副走査方向とする。
【００１３】
防音ガラス６は、ポリゴンミラー５と走査結像光学系との間（図１の例ではポリゴンミラー５と第１走査レンズ７との間）のポリゴンミラー５に対するレーザ光束の入出射光路中に配設されている。より具体的には、防音ガラス６は、ポリゴンミラー５とこれを回転駆動するモータを収納するためのケースに設けられた窓孔に配置されている。防音ガラス６は、ポリゴンミラー５による騒音を防止するために配備する。
【００１４】
防塵ガラス９は、プラスチックケースなどに収納されて密封された光走査装置内に埃が入り込むのを防ぐために、上記プラスチックケースの出射窓に配備する。
【００１５】
光走査装置による光走査について、走査光学系ごとに説明する。
半導体レーザ１Ａは、画像信号に基づき変調駆動され発散光束を射出する。半導体レーザ１Ａから射出された発散光束は、カップリングレンズ２Ａにより、以後の光学系に適したビーム形態にカップリングされる。なお、カップリングされた各光束は、同じビーム形態の平行ビームである。
カップリングレンズ２Ａを通過した光束は、シリンドリカルレンズ３Ａ，仮想ミラー４Ａによりポリゴンミラー５の偏向反射面近傍にて主走査方向の線像として結像する。
ポリゴンミラー５は、図示しないモータにより略等速に紙面時計回りに回転していて、入射光束を等角速度的に偏向する。
半導体レーザ１Ａから射出されてポリゴンミラー５で偏向された光束は、防音ガラス６，第１走査レンズ７，第２走査レンズ８を通過し、第１走査レンズ７と第２走査レンズ８の作用により集束性の光束となって被走査面１０上に集光されてビームスポットとして結像し、略等速的に被走査面１０上を図１の紙面上側から下側に向かって光走査される。
【００１６】
同様に、半導体レーザ１Ｂから射出された光束は、カップリングレンズ２Ｂ，シリンドリカルレンズ３Ｂ，仮想ミラー４Ｂ，ポリゴンミラー５，防音ガラス６，第１走査レンズ７，第２走査レンズ８を通過して被走査面１０上に集光されビームスポットとして結像し、略等速的に被走査面１０上を光走査される。
【００１７】
光走査装置を構成する２つの走査光学系は、副走査方向にある任意の間隔を有して配置されている。ここで、任意の間隔とは画素密度によって決定される間隔である。したがって、被走査面１０上には、副走査方向に距離を有した２本の平行な走査ラインが同時に形成される。
【００１８】
２つの走査光学系は、半導体レーザ１Ａからポリゴンミラー５への入射光束と半導体レーザ１Ｂからポリゴンミラー５への入射光束（以下、「１組の入射光束」という）が、互いに偏向回転面内で開き角を有するように、配設されている。
図１（ａ）は、１組の入射光束のうち、半導体レーザ１Ｂから射出された光束の方が、半導体レーザ１Ａから射出された光束に比べて偏向回転面内における偏向反射面への平均入射角（偏向反射面への入射方向と偏向反射面の法線方向とがなす角度）が大きいことを示している。
【００１９】
防音ガラス６は副走査方向に傾いている。これは、１組の入射光束が防音ガラス６の入射面で反射された場合、１組の入射光束のうち、偏向回転面内における偏向反射面への平均入射角の大きい入射光束（半導体レーザ１Ｂから射出された光束）が、平均入射角の小さい入射光束（半導体レーザ１Ａから射出された光束）に近づく方向に反射させるためである。このように構成することで、１組の入射光束が防音ガラス６によって反射されてゴースト光が発生したとしても、被走査面１０上においてゴースト像を有効走査幅の外側にもっていくことができるため、ゴースト光の影響を低減することができる。
【実施例】
【００２０】
以下、本発明にかかる光走査装置の構成について、光学系データを挙げながら具体的に説明する。
【００２１】
１）半導体レーザ１Ａ
光源波長：６５５ｎｍ
光源側からのビームの入射角と走査光学系の光軸とがなす角：７４．５５ｄｅｇｒｅｅ
２）半導体レーザ１Ｂ
光源波長：６５５ｎｍ
光源側からのビームの入射角と走査光学系の光軸とがなす角：５６．４５ｄｅｇｒｅｅ
３）カップリングレンズ２
焦点距離：２７ｍｍ
カップリング作用：コリメート作用
４）ポリゴンミラー５
偏向反射面数：６
内接円半径：１８ｍｍ
５）防音ガラス６
屈折率：１．５１４
厚さ：１．９ｍｍ
偏向回転面内の主走査方向の傾き：１０ｄｅｇｒｅｅ
６）防塵ガラス９
屈折率：１．５１４
厚さ：１．９ｍｍ
【００２２】
次に、ポリゴンミラー５以降のレンズデータを以下に示す。
【００２３】
第１走査レンズ７の第１面（Ｌ１Ｒ１）と第２走査レンズ８の両面（Ｌ２Ｒ１，Ｌ２Ｒ２）は、主走査方向の面形状が非円弧形状である。各面の光軸方向のデプスＸは、以下の式で表現される。
Ｘ＝（Ｙ^２／Ｒｍ）／[１＋√｛１−（１＋Ｋ）（Ｙ／Ｒｍ）＾２｝]
＋Ａ１・Ｙ＋Ａ２・Ｙ＾２＋Ａ３・Ｙ＾３＋Ａ４・Ｙ＾４
＋Ａ５・Ｙ＾５＋Ａ６・Ｙ＾６＋・・・                          （式１）
ここで、Ｙは光軸からの主走査方向の距離、Ｒｍは曲率半径、Ｋは円錐常数、Ａｎ（ｎ＝１，２，３，・・・）を高次の係数である。式１において、奇数次の係数Ａ１，Ａ３，Ａ５，・・・にゼロ以外の数値を代入した場合には、主走査方向に非対称形状を有する。なお、以下に説明する実施例では偶数次のみを用いており、主走査方向に対称系である。
【００２４】
また、Ｙを変数とする偏向方向に直行する面内の曲率半径（副走査曲率半径）をＣｓ（Ｙ）とすると、Ｃｓ（Ｙ）は以下の式で表現される。
Ｃｓ（Ｙ）＝１／Ｒｓ（０）＋Ｂ１・Ｙ＋Ｂ２・Ｙ＾２＋Ｂ３・Ｙ＾３
＋Ｂ４・Ｙ＾４＋Ｂ５・Ｙ＾５＋・・・                    （式２）
ここで、Ｒｓ（０）は光軸位置での副走査方向の曲率半径、Ｂｎ（ｎ＝１，２，３，・・・）は高次の係数である。式２において、奇数次の係数Ｂ１，Ｂ３，Ｂ５，・・・にゼロ以外の数値を代入した場合、副走査方向の曲率半径が主走査方向に非対称となる。
【００２５】
一方、第１走査レンズ７の第２面（Ｌ１Ｒ２））は共軸非球面であり、光軸方向のデプスＸは以下の式で表現される。
Ｘ＝（Ｙ＾２／Ｒ）／[１＋√｛１−（１＋Ｋ）（Ｙ／Ｒｍ）＾２｝]＋
＋Ａ１・Ｙ＋Ａ２・Ｙ＾２＋Ａ３・Ｙ＾３＋Ａ４・Ｙ＾４
＋Ａ５・Ｙ＾５＋Ａ６・Ｙ＾６＋・・・                           （式３）
ここで、Ｒは光軸における近軸曲率半径，Ｙは光軸からの主走査方向の距離，Ｋは円錐常数，Ａｎ（ｎ＝１，２，３，・・・）は高次の係数、である。
【００２６】
第１走査レンズ７の第１面（Ｌ１Ｒ１）の光学系データは以下の通りである。
Ｒｍ  ＝−２７９．９
Ｒｓ  ＝−６１.０
Ｋ    ＝−２．９０００００Ｅ＋０１
Ａ４  ＝  １．７５５７６５Ｅ−０７
Ａ６  ＝−５．４９１７８９Ｅ−１１
Ａ８  ＝  １．０８７７００Ｅ−１４
Ａ１０＝−３．１８３２４５Ｅ−１９
Ａ１２＝−２．６３５２７６Ｅ−２４
Ｂ１  ＝−２．０６６３４７Ｅ−０６
Ｂ２  ＝  ５．７２７７３７Ｅ−０６
Ｂ３  ＝  ３．１５２２０１Ｅ−０８
Ｂ４  ＝  ２．２８０２４１Ｅ−０９
Ｂ５  ＝−３．７２９８５２Ｅ−１１
Ｂ６  ＝−３．２８３２７４Ｅ−１２
Ｂ７  ＝  １．７６５５９０Ｅ−１４
Ｂ８  ＝  １．３７２９９５Ｅ−１５
Ｂ９  ＝−２．８８９７２２Ｅ−１８
Ｂ１０＝−１．９８４５３１Ｅ−１９
【００２７】
第１走査レンズ７の第２面（Ｌ１Ｒ２）の光学系データは以下の通りである。
Ｒ    ＝−８３．６
Ｋ    ＝−０．５４９１５７
Ａ４  ＝  ２．７４８４４６Ｅ−０７
Ａ６  ＝−４．５０２３４６Ｅ−１２
Ａ８  ＝−７．３６６４５５Ｅ−１５
Ａ１０＝  １．８０３００３Ｅ−１８
Ａ１２＝  ２．７２７９００Ｅ−２３
【００２８】
第２走査レンズ８の第１面（Ｌ２Ｒ１）の光学系データは以下の通りである。
Ｒｍ  ＝  ６９５０
Ｒｓ  ＝  １１０．９
Ｋ    ＝  ０．００００００Ｅ＋００
Ａ４  ＝  １．５４９６４８Ｅ−０８
Ａ６  ＝  １．２９２７４１Ｅ−１４
Ａ８  ＝−８．８１１４４６Ｅ−１８
Ａ１０＝−９．１８２３１２Ｅ−２２
Ｂ１  ＝−９．５９３５１０Ｅ−０７
Ｂ２  ＝−２．１３５３２２Ｅ−０７
Ｂ３  ＝−８．０７９５４９Ｅ−１２
Ｂ４  ＝  ２．３９０６０９Ｅ−１２
Ｂ５  ＝  ２．８８１３９６Ｅ−１４
Ｂ６  ＝  ３．６９３７７５Ｅ−１５
Ｂ７  ＝−３．２５８７５４Ｅ−１８
Ｂ８  ＝  １．８１４４８７Ｅ−２０
Ｂ９  ＝  ８．７２２０８５Ｅ−２３
Ｂ１０＝−１．３４０８０７Ｅ−２３
【００２９】
第２走査レンズ８の第２面（Ｌ２Ｒ２）の光学系データは以下の通りである。
Ｒｍ  ＝  ７６６
Ｒｓ  ＝−６８．２２
Ｋ    ＝  ０．００００００Ｅ＋００
Ａ４  ＝−１．１５０３９６Ｅ−０７
Ａ６  ＝  １．０９６９２６Ｅ−１１
Ａ８  ＝−６．５４２１３５Ｅ−１６
Ａ１０＝  １．９８４３８１Ｅ−２０
Ａ１２＝−２．４１１５１２Ｅ−２５
Ｂ２  ＝  ３．６４４０７９Ｅ−０７
Ｂ４  ＝−４．８４７０５１Ｅ−１３
Ｂ６  ＝−１．６６６１５９Ｅ−１６
Ｂ８  ＝  ４．５３４８５９Ｅ−１９
Ｂ１０＝−２．８１９３１９Ｅ−２３
【００３０】
なお、使用波長における走査レンズの屈折率は全て１．５２７２４である。
【００３１】
次に、光学配置に関する光学系データを示す。
偏向反射面から第１走査レンズ７の第１面までの距離ｄ１＝６４ｍｍ
第１走査レンズ７の中心肉厚ｄ２＝２２．６ｍｍ
第１走査レンズ７の第２面から第２走査レンズ８の第１面までの距離ｄ３＝７５．９ｍｍ
第２走査レンズ８の中心肉厚ｄ４＝４．９ｍｍ
第２走査レンズ８の第２面から被走査面までの距離ｄ５＝１５８．7ｍｍ
【００３２】
以下に再周辺と中央像高での副走査方向のＦナンバーを示す。
像高＝  １５０ｍｍ：４１．５
像高＝      ０ｍｍ：４０．４
像高＝−１５０ｍｍ：４１．０
【００３３】
以下、防音ガラス６の主走査方向に対する傾け角と主走査像面湾曲および防音ガラス６の面精度４００ｍＲ時の主走査方向像面湾曲との関係について、傾け角を１６ｄｅｇｒｅｅ（実施例１），１２ｄｅｇｒｅｅ（実施例２），６ｄｅｇｒｅｅ（比較例）の場合について表１に示す。また、図２は、図１に示した光走査装置の防音ガラス６近傍の偏向回転面内における拡大図であり、偏向回転面内における偏向反射面への平均入射角をθ１、平均入射角の最大値と最小値をそれぞれθ１ｍａｘとθ１ｍｉｎ、有効書込幅に対応する半画角をθ２、偏向回転面内における防音ガラス６（平行平板）の主走査方向に対する傾け角をα、とする。
【００３４】
【表１】
2005092077.tif 000003
【００３５】
表１に示すように、実施例１の場合は、２つのビームの主走査方向の像面湾曲変化（「防音ガラス６の面精度４００ｍＲ時主走査像面湾曲」−「主走査像面湾曲」）がバランスよく保たれている。
一方、比較例の場合、像面湾曲変化が大きいため、防音ガラス６の面精度を厳しくしなければならなくなる。
【００３６】
ここで、実施例１と実施例２では、以下の条件式１と条件式２を満足する。
０．６＜（θ１ｍａｘ−α）／（θ２＋α）＜１．４                    （条件式１）
０．６＜（θ１ｍｉｎ−α）／（θ２＋α）＜１．４                    （条件式２）
一方、比較例では、条件式１を満足していない。
【００３７】
また、実施例１と実施例２では、以下の条件式３を満足する。
（θ１ｍｉｎ−α）／（θ２＋α）＜１．０＜（θ１ｍａｘ−α）／（θ２＋α）
（条件式３）
一方、比較例では、条件式３を満足しない。
【００３８】
以上説明した実施の形態によれば、条件式１と条件式２を満足することで、２つのビームの主走査方向の像面湾曲変化をバランスよく保つことができ、防音ガラス６の面精度による結像性能への影響を低減することができる。
【００３９】
次に、本発明にかかる画像形成装置について説明する。
図３は、本発明にかかる画像形成装置の実施の形態を示す中央断面図である。この画像形成装置は、レーザプリンタである。
レーザプリンタ１００は、光走査装置１１７の他、光走査装置１１７によって露光され静電潜像が形成される潜像担持体１１１として円筒状に形成された光導電性の感光体、静電潜像をトナーで顕像化する現像手段、顕像化されたトナー像を記録紙に転写する転写手段などの、電子写真プロセスを実行する手段を有してなる。
【００４０】
潜像担持体１１１の周囲には、帯電手段としての帯電ローラ１１２、現像装置１１３、転写ローラ１１４、クリーニング装置１１５などの電子写真法（プロセス）にしたがうプロセス部材が順に配設されている。
なお、帯電手段としてコロナチャージャを用いることもできる。
【００４１】
光走査装置１１７は、像担持体に光書込を行う光書込装置であって、電子写真プロセスの露光プロセスを実行するもので、帯電ローラ１１２で均一に帯電された潜像担持体１１１の表面を走査して、静電潜像を形成する。形成された静電潜像は、いわゆるネガ潜像であって画像部が露光されている。この静電潜像は、現像装置１１３により反転現像され、像担持体１１１上にトナー画像が形成される。
【００４２】
転写紙Ｐを収納したカセット１１８は、レーザプリンタ１００本体に脱着可能であり、図示のごとく装着された状態において、収納された転写紙Ｐの最上位の１枚が給紙コロ１２０により給紙され、給紙された転写紙Ｐは、その先端部をレジストローラ１１９に捕らえられる。レジストローラ１１９は、像担持体１１１上のトナー画像が転写位置へ移動するタイミングに合わせて、転写紙Ｐを転写部へ送り込む。送り込まれた転写紙Ｐは、転写部においてトナー像と重ね合わせられ転写ローラ１１４の作用により、トナー画像を静電転写される。
【００４３】
トナー画像を転写された転写紙Ｐは定着装置１１６へ送られ、定着装置１１６においてトナー画像を定着され、搬送路１２１を通り、排紙ローラ１２２によりトレイ１２３上に排出される。
トナー画像が転写された後の像担持体１１１の表面は、クリーニング装置１１５によりクリーニングされ、残留トナーや紙粉等が除去される。
【００４４】
光走査装置１１７として、先に説明した本発明にかかる光走査装置を用いることで、
光走査装置を構成する平行平板の面精度による結像性能への影響を低減することができ、良好な画像を形成することができる。
【００４５】
なお、以上説明した画像形成プロセスは、単色の画像形成におけるプロセスを想定して説明したが、本発明はこれに限定されるものではなく、複数色の画像を重ねて形成するカラー画像形成装置に適用することも可能である。その場合、光書込ユニットを複数色で共用する画像形成装置に適用することができる。すなわち、一つの光書込ユニットと像担持体を有し、一色ごとの画像信号で光書き込みを行って対応する色のトナーで現像し、これを転写紙に転写し、次に、別の色の画像信号で光書き込みを行って対応する色のトナーで現像し、これを上記転写紙に転写する、というように、色ごとに画像形成を実行して１枚の転写紙に重ねて転写する方式の画像形成装置である。
【００４６】
また、前記光書込ユニットは、これを露光ユニットとして各色毎に配置した、いわゆるタンデム型の画像形成装置に適用することもできる。すなわち、色ごとに対応した複数の光書込ユニットと像担持体を有し、各色の画像信号で対応する光書込ユニットで対応する像担持体に画像を書き込み、対応する色のトナーで現像し、各色のトナー像を１枚の転写紙に重ねて転写するように構成する。タンデム型の画像形成装置によれば、画像の光束書込み、高速画像形成に有利である。
【産業上の利用可能性】
【００４７】
本発明は、デジタルカラー複写機、カラーレーザプリンタなどの画像形成装置に適用することができる。本発明によれば、複数の走査光学系が共有する偏向手段への光束の入射口や射出口に平行平板を配設する構成であっても、平行平板の面精度による結像性能への影響を低減することができ、良好な画像を形成することができる。
【図面の簡単な説明】
【００４８】
【図１】本発明にかかる光走査装置の実施の形態を示す、（ａ）は偏向回転面に平行な面内に展開した光学配置図、（ｂ）は上記光走査装置の光源から射出された光束の光路を説明する副走査断面図である。
【図２】上記光走査装置を構成する平行平板近傍の偏向回転面内における拡大図である。
【図３】本発明にかかる画像形成装置の実施の形態を示す中央断面図である。
【符号の説明】
【００４９】
１Ａ，１Ｂ    光源（半導体レーザ）
２Ａ，２Ｂ    カップリングレンズ
３Ａ，３Ｂ    シリンドリカルレンズ
４Ａ，４Ｂ    仮想ミラー
５            偏向器（ポリゴンミラー）
６            平行平板（防音ガラス）
７            第１走査レンズ
８            第２走査レンズ
９            防塵ガラス
１０          被走査面
【図１】
2005092077.tif 000004
【図２】
2005092077.tif 000005
【図３】
2005092077.tif 000006